(57)【要約】      （修正有）【課題】コンパクトな形状を備えつつ、排尿時における排尿方向の規制を有効に行ない得る尿排泄補助具および緊急用トイレを提供する。【解決手段】容器２に形成される開口部を取り囲んで装着されるとともに、使用者の尿排泄部位に対峙させられる尿排泄補助具１であって、内側に、容器２の開口部に重畳させられる長方形状若しくは長円状の開口Ａを備えた基部１ａと、この基部１ａの内周縁部に折り畳み可能に連設された環状部とを備え、環状部が、折り畳まれた状態において、基部１ａの開口Ａを閉塞する構成となっている。【選択図】図１
0003202773.tif 000002
【実用新案登録請求の範囲】
【請求項１】
容器に形成される開口部を取り囲んで装着されるとともに、使用者の尿排泄部位に対峙させられる尿排泄補助具であって、内側に、前記容器の開口部に重畳させられる長方形状若しくは長円状の開口を備えた基部と、この基部の内周縁部に折り畳み可能に連設された環状部とを備え、前記環状部が、折り畳まれた状態において、前記基部の開口を閉塞するようになされていることを特徴とする尿排泄補助具。
【請求項２】
前記基部に、この基部を前記容器に固定するための接着層が一体に設けられていることを特徴とする請求項１に記載の尿排泄補助具。
【請求項３】
前記環状部が閉塞位置に折り畳まれた状態において、この環状部全体を液密に覆う密閉シールを備えていることを特徴とする請求項１または請求項２の何れかに記載の尿排泄補助具。
【請求項４】
請求項１ないし請求項３の何れかに記載の尿排泄補助具を、尿収集用の開口部が形成される容器に、前記開口部を取り囲むようにして装着したことを特徴とする緊急用トイレ。
【請求項５】
前記容器が、飲料用のペットボトルであることを特徴とする請求項４に記載の緊急用トイレ。
【請求項６】
前記容器に形成される開口部が、前記尿排泄補助具が折り畳みを解かれた状態において、前記容器の壁部を切り込むことによって形成されるようになされていることを特徴とする請求項４または請求項５の何れかに記載の緊急用トイレ。
【考案の詳細な説明】
【技術分野】
【０００１】
本考案は、排尿を行なう人の尿排泄部位を、排泄される尿を収集する容器の開口部に正しく向けさせるようにした尿排泄補助具、および、この尿排泄補助具を用いた緊急用トイレに関するものである。
【背景技術】
【０００２】
排尿を行なう際、特に、災害時等の緊急時において屋外において用を足さなければならない際に、緊急用トイレを用いることがある。
【０００３】
通常使用される便器では、排泄される尿が尿収集部に円滑に導かれる構造となっていて、前記便器回りを汚してしまうことは殆どない。
【０００４】
しかしながら、緊急時にあっては、前述した通常使用される便器がない場合が殆どであることから、身近にある容器を簡易トイレとして利用することが多い。
【０００５】
そして、前述した容器は、尿の収集に適した構造ではないことが多く、使用の際に、容器回りを汚してしまうことがある。
【０００６】
このような不具合に対処すべく、たとえば、特許文献１に示されるような提案がなされている。
【０００７】
この技術は、容器として使用済みのペットボトル等の飲料用容器を用いたものである。
【０００８】
そして、前記飲料用容器の蓋が装着される飲み口に、漏斗状の位置決め部材を螺着し、この位置決め部材を、使用者の尿排泄部位に被せることにより、排尿方向を規制して、尿を前記飲料用容器へ導くようにしている。
【先行技術文献】
【特許文献】
【０００９】
【特許文献１】特開２００６−１４１５８４号公報
【考案の概要】
【考案が解決しようとする課題】
【００１０】
前述した従来の技術によって、緊急時においても比較的入手しやすい飲料用容器を用いて簡易トイレを作ることができ、かつ、排尿の際に、回りを汚してしまうことを抑制することが期待できるようになった。
【００１１】
しかしながら、前述した従来の技術においても、なお、次のような改善すべき問題点が残されている。
【００１２】
すなわち、前述した技術では、位置決め部材が、漏斗状に形成されて、人の尿排泄部位を覆う形状となされていることから、その形状が大きく取り扱いが煩雑であるといった問題点である。
【００１３】
本考案は、前述した問題点に鑑みてなされたもので、コンパクトな形状を備えつつ、排尿時における排尿方向の規制を有効に行ない得る尿排泄補助具および緊急用トイレを提供することを解決すべき課題とする。
【課題を解決するための手段】
【００１４】
本考案の尿排泄補助具は、前述した課題を解決するために、容器に形成される開口部を取り囲んで装着されるとともに、使用者の尿排泄部位に対峙させられる尿排泄補助具であって、内側に、前記容器の開口部に重畳させられる長方形状若しくは長円状の開口を備えた基部と、この基部の内周縁部に折り畳み可能に連設された環状部とを備え、前記環状部が、折り畳まれた状態において、前記基部の開口を閉塞するようになされていることを特徴としている。
【００１５】
本考案の尿排泄補助具は、前記基部を、容器に形成されている開口部を取り囲むようにして、この容器に取り付けることにより、緊急用トイレとして使用される。
【００１６】
この緊急用トイレの不使用時には、前記基部に連設されている前記環状部が折り畳まれていることにより、前記基部の内側の開口を閉塞している。
これに伴い、前記基部が装着されている前記容器の開口部が閉塞されている。
【００１７】
そして、前記基部に連設されている環状部を、折り畳んだ状態から広げるように前記基部から立ち上げると、前記環状部によって前記基部の開口を取り囲むように筒状の壁が形成される。
これによって、前記開口が開放されるとともにこの開口が対峙されている前記容器の開口部も開放される。
【００１８】
ついで、前記環状部を、使用者の尿排泄部位に、その部位を取り囲むように位置させることにより、前記尿排泄部位を前記容器の開口部に向けさせることができる。
【００１９】
この結果、排尿に際して、その尿が前記開口部を経て前記容器へと導かれる。
したがって、尿が前記容器外に飛散することが抑制されて、容器回りの汚れが抑制される。
【００２０】
不使用時にあっては、前記尿排泄補助具は、前述したように折り畳まれていることによりコンパクトな形状に保持される。
したがって、嵩張ることなく取り扱いが容易である。
【００２１】
一方、前記尿排泄補助具は、前記容器に予め取り付けておくことも可能であり、あるいは、単体で保管しておき、使用時に前記容器に取り付けるようにすることもできる。
【００２２】
後者のような使用形態とする場合には、前記基部に、この基部を前記容器に固定するための接着層を一体に設けておくことが好ましい。
【００２３】
そして、前記接着層は剥離紙等によって被覆した状態とし、使用時にこの剥離紙を剥がすことにより、前記接着層を露出させて接着可能とする。
【００２４】
そして、前記容器に形成される開口部は、予め形成しておくことも可能であり、使用時に、前記尿排泄補助具を開放して前記容器の壁面を露出させた後に、この壁面を切り込むことによって形成することも可能である。
【００２５】
このように、使用時に開口部を形成する場合、未使用状態では、前記尿排泄補助具が清潔な状態に保持されていることから、前記容器は、容器本来の使用目的で使用される。
たとえば、飲料水容器として使用可能である。
【００２６】
また、前記環状部が閉塞位置に折り畳まれた状態において、この環状部全体を液密に覆う密閉シールを設けることもできる。
【００２７】
このような密閉シールを設けることにより、前記尿排泄補助具を使用時まで露出させずに保持することができ、その清潔性を維持することができる。
【００２８】
また、使用後において、前記尿排泄補助具を折り畳んで前記開口を閉塞した後に、前記密閉シールによって前記尿排泄補助具を密閉することにより、前記容器からの尿漏れや臭い漏れを防止することができる。
【００２９】
そして、前記尿排泄補助具を装着した容器は、緊急用トイレとして使用することができ、前記容器として、飲料用のペットボトルや給水用の水タンク等、種々の容器を用いることができる。
【考案の効果】
【００３０】
本考案の尿排泄補助具および緊急用トイレによれば、コンパクトな形状を備えつつ、排尿時における尿の飛散を防止して、回りを汚してしまうことを抑制することができる。
【図面の簡単な説明】
【００３１】
【図１】本考案の第１の実施形態を示す正面図である。
【図２】本考案の第１の実施形態を示す側面図である。
【図３】本考案の第１の実施形態を示すもので、使用手順を示す側面図である。
【図４】本考案の第１の実施形態を示すもので、使用手順を示す正面図である。
【図５】本考案の第１の実施形態を示すもので、使用手順を示す正面図である。
【図６】本考案の第１の実施形態を示すもので、使用手順を示す側面図である。
【図７】本考案の第１の実施形態を示すもので、図６のＶＩＩ−ＶＩＩ線矢視断面図である。
【図８】本考案の第１の実施形態を示すもので、使用手順を示す正面図である。
【図９】本考案の第１の実施形態を示すもので、使用手順を示す正面図である。
【図１０】本考案の第１の実施形態を示すもので、図９のＸ−Ｘ線矢視断面図である。
【図１１】本考案の第２の実施形態を示す正面図である。
【考案を実施するための形態】
【００３２】
以下、本考案の第１の実施形態を図１ないし図１０を参照して説明する。
これらの図において、符号１は本実施形態にかかる尿排泄補助具を示し、本実施形態においては、前記尿排泄補助具１を、飲料用のペットボトルからなる容器２に装着して緊急用トイレＴを構成した例を示している。
【００３３】
本実施形態に係わる前記尿排泄補助具１は、内側に、長方形状の開口Ａを備えた基部１ａと、この基部１ａの内周縁部に折り畳み可能に連設された環状部１ｂとを備え、前記環状部１ｂが、折り畳まれた状態において、前記基部１ａの開口Ａを閉塞するようになされている。
【００３４】
前記尿排泄補助具１は、前記基部１ａの裏面側に接着剤層が形成されて、この接着剤層によって前記容器２に貼着されるようになっている。
【００３５】
また、前記基部１ａと前記環状部１ｂは、前記開口Ａの一対の短辺において谷折り線Ｖ１を介して連設されているとともに、一対の長辺において谷折り線Ｖ２を介して連設されている。
【００３６】
さらに、前記環状部１ｂには、その先端部の、前記各短辺間の中間に位置させられる部位と、前記各短辺の両端部とを結んで山折り線Ｘ１が形成され、これらの山折り線Ｘ１と前記谷折り線Ｖ１とによって、この谷折り線Ｖ１を底辺とする二等辺三角形を形成するようになっている。
【００３７】
また、前記山折り線Ｘ１の先端から前記環状部１ｂに沿って所定距離離間した部位と前記各短辺の両端部とを結んで山折り線Ｘ２が形成されている。
【００３８】
そして、前記環状部１ｂを、前記谷折り線Ｖ１および山折り線Ｘ１において折り畳むことにより、短辺側において、前記二等辺三角形に相当する部分が前記環状部１ｂの外側に折り込まれ、長辺側において、残余の部分が前記環状部１ｂの内側に折り込まれる。
【００３９】
前記環状部１ｂの、長辺側において内側に折り込まれた部位は、相互に付き合わされ、これによって、前記環状部１ｂが平面状に畳み込まれるとともに、前記基部１ａの内側の開口Ａを閉じられるようになっている。
【００４０】
さらに本実施形態においては、前述したように平面状に畳まれた尿排泄補助具１を全体的に覆い、かつ、前記容器２の側面に剥離可能に貼着される密閉シール３が設けられている。
【００４１】
ついで、このように構成された本実施形態に係わる尿排泄補助具１の使用方法について、前述した緊急用トイレＴとして組み上げられた状態をもとに説明する。
【００４２】
使用にあたっては、まず、図３に示すように、前記密閉シール３を前記容器２から剥がして、図４に示すように、前記容器２の側面に装着されている尿排泄補助具１を露出させる。
【００４３】
ついで、前記環状部１ｂの突き合わせ状態にある両長辺部を、谷折り部Ｖ２にて谷折りし、かつ、山折り線Ｘ２にて山折りしつつ立ち上げる。
これに伴い、図５および図６に示すように、前記山折り線Ｘ１および谷折り線Ｖ１における折り角が広げられて、前述した二等辺三角形の部分が前記容器２の側面から斜めに立ち上げられる。
【００４４】
この結果、前記環状部１ｂが、図５および図６に示すように、略舟形に立ち上げられて、前記基部１ａの内側の開口Ａを露出させる。
これに伴い、図５および図７に示すように、前記開口Ａを介して、前記容器２の側面が露出される。
【００４５】
ついで、図８に実線で示すように、露出させられている前記容器２の側面に、前記基部１ａの両短辺に沿うように、かつ、これらの短辺の中間を結ぶ線に沿ってカッター等を用いて切り込みを入れる。
【００４６】
これより、前記容器２の側面の切り込まれた部位を、前記容器２の内側へ向けて折り曲げることにより、図９および図１０に示すように、前記容器２の側面に開口部２ａを形成する。
【００４７】
前記開口部２ａは、前記容器２の内外を連通させ、かつ、外面側において、筒状の前記環状部１ｂによって取り囲まれ、この状態で使用に供される。
【００４８】
そして、使用にあたっては、前記尿排泄補助具１の環状部１ｂを、使用者の尿排泄部位を取り囲むように位置させる。
この操作により、前記使用者の尿排泄部位が、前記容器２の開口部２ａに正しく対峙させられ、かつ、前記尿排泄部位の回りが前記環状部１ｂによって取り囲まれる。
【００４９】
これによって、排尿時の尿が確実に前記開口部２ａへ向かって流れて前記容器２内に入り込み、また、前記環状部１ｂにより外部への飛散が防止される。
【００５０】
一方、使用後においては、前述した手順と逆の手順によって、前記尿排泄補助具１を閉じて前記容器２の開口部２ａを閉じ、本実施形態においては、さらに、前記密閉シール３によって前記尿排泄補助具１を密閉する。
これより、再使用するか若しくは廃棄処理する。
【００５１】
前記尿排泄補助具１は、折り畳んだ状態において、前記容器２の側面に沿うようにして収められることから、嵩張ることがなくその取り扱いも容易である。
【００５２】
なお、前記実施形態において示した各構成部材の諸形状や寸法等は一例であって設計要求等に基づき種々変更可能である。
【００５３】
たとえば、前記実施形態においては、前記尿排泄補助具１を予め容器２の側面に取り付けておく例を示したが、図１１に示すように、前記尿排泄補助具１を密閉シール３とともに包装して単体で保管しておき、使用時に身近にある容器に取り付けるようにすることもできる。
【００５４】
また、前記実施形態のように、前記尿排泄補助具１を容器２に予め取り付けておく場合、この尿排泄補助具１を前記容器２の側面に取り付けるのに先立って、前記容器２に予め開口部２ａを形成しておくこともできる。
【００５５】
前記尿排泄補助具１は接着剤による貼着に限らず、前記容器２の製造時に一体化するようにしてもよい。
さらに、
【符号の説明】
【００５６】
１  尿排泄補助具
１ａ  基部
１ｂ  環状部
２  容器
２ａ  開口部
３  密閉シール
Ａ  開口
Ｔ  緊急用トイレ
Ｖ１  谷折り線
Ｖ２  谷折り線
Ｘ１  山折り線
Ｘ２  山折り線
【図１】
0003202773.tif 000003
【図２】
0003202773.tif 000004
【図３】
0003202773.tif 000005
【図４】
0003202773.tif 000006
【図５】
0003202773.tif 000007
【図６】
0003202773.tif 000008
【図７】
0003202773.tif 000009
【図８】
0003202773.tif 000010
【図９】
0003202773.tif 000011
【図１０】
0003202773.tif 000012
【図１１】
0003202773.tif 000013